(57)【要約】      （修正有）【課題】本考案は、電気加熱セラミックポットを提供する。【解決手段】ポットカバー３と、金属材料からなるポットボディ１とを備えており、ポットボディの底部が球弧状の構造であり、ポットカバーにハンドル４が配置され、ハンドルの内部に上部温度センサ５と、上部温度センサによって測定されたデータをコントローラ６に送信することができる無線送信モジュール７とが配置されているセラミックポット本体と、内部には、コントロールパネル８と、コントローラと、ベースカバープレート９と、ワイヤーリール１０とが配置されており、ワイヤーリールには、球弧状のポットボディの底部に嵌合し得る球弧状の溝１１が形成され、球弧状の溝の底部に下部温度センサ１２が配置され、ワイヤーリール、下部温度センサおよびコントロールパネルは、それぞれコントローラと電気的に接続されているベースと、を備える。本考案によれば、ポット本体内の温度をより良く監視することができる。【選択図】図１
0003215756.tif 000002
【実用新案登録請求の範囲】
【請求項１】
ポットカバーと、金属粒子がドープされたポットボディとを備えており、前記ポットボディの底部が球弧状の構造であり、前記ポットカバーにハンドルが配置され、前記ハンドルの内部には、上部温度センサと、前記上部温度センサによって測定されたデータをコントローラに送信することができる無線送信モジュールとが配置されているセラミックポット本体と、
内部には、コントロールパネルと、前記コントローラと、ワイヤーリールと、前記ワイヤーリールを覆うベースカバープレートとが配置されており、前記ワイヤーリールには、前記球弧状のポットボディの底部に嵌合し得る球弧状の溝が開けられ、前記球弧状の溝の底部に下部温度センサが配置され、前記ワイヤーリール、前記下部温度センサおよび前記コントロールパネルは、それぞれ前記コントローラと電気的に接続されており、前記コントローラは、上部温度センサおよび下部温度センサによって測定されたデータを受信し、前記セラミックポット本体内の温度が設定値を超えると、設定されたプログラムに従って前記ワイヤーリールの出力パワーを調整して前記セラミックポット本体内の温度を変化させるベースと、を備えることを特徴とする電気加熱セラミックポット。
【請求項２】
前記ハンドルは、前記ポットカバーに螺接されたハンドルシートをさらに備え、前記ハンドルシートには、前記ハンドルを固定するためのネジ孔が設けられ、前記ハンドルは、前記ハンドルシートを介して前記ポットカバーに固定されていることを特徴とする請求項１に記載の電気加熱セラミックポット。
【請求項３】
前記ハンドルシートと前記ポットカバーとの接続部には、シーリングリングが配置されていることを特徴とする請求項２に記載の電気加熱セラミックポット。
【請求項４】
前記ベースカバープレートは、前記ベースに嵌入し、その下面に設けられた螺接孔を介して前記ワイヤーリールに固定的に接続され、前記ベースカバープレートの上面には、前記セラミックポット本体を取り囲む弧状の制限バーが設けられていることを特徴とする請求項１に記載の電気加熱セラミックポット。
【請求項５】
前記ベース内の両側には、冷却ファンがさらに設けられ、前記ベースは、前記冷却ファンに対応する位置に空気導入孔および冷却チャネルが設けられていることを特徴とする請求項１に記載の電気加熱セラミックポット。
【請求項６】
前記ベースの下方には、均一に分布された、前記ベースに螺接された支持パッドがいくつか配置されていることを特徴とする請求項１に記載の電気加熱セラミックポット。
【請求項７】
前記球弧状の溝は、その外側に取り付けられたシリカゲルパッドを介して前記ベースに固定されていることを特徴とする請求項１に記載の電気加熱セラミックポット。
【請求項８】
前記コントローラは、前記ベースの底部に螺接されていることを特徴とする請求項１に記載の電気加熱セラミックポット。
【考案の詳細な説明】
【技術分野】
【０００１】
本考案は、家電製品の分野に関し、特に、電気加熱セラミックポットに関するものである。
【背景技術】
【０００２】
セラミックポットは、中国の伝統的な調理器具の１つであり、非常に人気のある食器として、高硬度、良好な靭性、錆びない、優れた熱伝導率、耐酸化性および無摩耗などの利点を有する。
【０００３】
しかしながら、セラミックは比較的脆く破損し易いので、セラミックポットの厚さは、セラミックポットが使用中の衝突による損傷を受けないことを保証するために、一般に６ｍｍ以上である。セラミック材料は、熱伝導率が低く、伝熱が遅いため、セラミックポットのほとんどは、加熱が遅いという問題があり、さらに、電気セラミックポットの温度をより良く制御することは不可能である。
【先行技術文献】
【特許文献】
【０００４】
なし
【考案の概要】
【考案が解決しようとする課題】
【０００５】
本考案の目的は、上記の問題を解決するために、構造が簡単で、加熱速度が速く、製造コストが低く、全体温度の制御が便利な電気セラミックポットを提供することである。
【課題を解決するための手段】
【０００６】
本考案の一態様によれば、
ポットカバーと、金属粒子がドープされたポットボディとを備えており、前記ポットボディの底部が球弧状の構造であり、前記ポットカバーにハンドルが配置され、前記ハンドルの内部には、上部温度センサと、前記上部温度センサによって測定されたデータをコントローラに送信することができる無線送信モジュールとが配置されているセラミックポット本体と、
内部には、コントロールパネルと、前記コントローラと、ワイヤーリールと、前記ワイヤーリールを覆うベースカバープレートとが配置されており、前記ワイヤーリールには、前記球弧状のポットボディの底部に嵌合し得る球弧状の溝が開けられ、前記球弧状の溝の底部に下部温度センサが配置され、前記ワイヤーリール、前記下部温度センサおよび前記コントロールパネルは、それぞれ前記コントローラと電気的に接続されており、前記コントローラは、上部温度センサおよび下部温度センサによって測定されたデータを受信し、前記セラミックポット本体内の温度が設定値を超えると、設定されたプログラムに従って前記ワイヤーリールの出力パワーを調整して前記セラミックポット本体内の温度を変化させるベースと、を備えることを特徴とする電気加熱セラミックポットが提供されている。
【０００７】
いくつかの実施形態において、前記ハンドルは、前記ポットカバーに螺接されたハンドルシートをさらに備え、前記ハンドルシートには、前記ハンドルを固定するためのネジ孔が設けられ、前記ハンドルは、前記ハンドルシートを介して前記ポットカバーに固定されている。
【０００８】
いくつかの実施形態において、前記ハンドルシートと前記ポットカバーとの接続部には、シーリングリングが配置されている。
【０００９】
いくつかの実施形態において、前記ベースカバープレートは、前記ベースに嵌入し、その下面に設けられた螺接孔を介して前記ワイヤーリールに固定的に接続され、前記ベースカバープレートの上面には、前記セラミックポット本体を取り囲む弧状の制限バーが設けられている。
【００１０】
いくつかの実施形態において、前記ベース内の両側には、冷却ファンがさらに設けられ、前記ベースは、前記冷却ファンに対応する位置に空気導入孔および冷却チャネルが設けられている。
【００１１】
いくつかの実施形態において、前記ベースの下方には、均一に分布された、前記ベースに螺接された支持パッドがいくつか配置されている。
【００１２】
いくつかの実施形態において、前記球弧状の溝は、その外側に取り付けられたシリカゲルパッドを介して前記ベースに固定されている。
【００１３】
いくつかの実施形態において、前記コントローラは、前記ベースの底部に螺接されている。
【考案の効果】
【００１４】
本考案の電気加熱セラミックポットは、その頂部でのハンドルに、および、その下端部でのワイヤーリールに上、下部温度センサが設けられているので、ポット本体の内部の温度をよりよく監視することができることにより、 調理効果が良くなり、同時に省エネルギーも実現する。また、ポット本体は球弧状のものであり、ワイヤーリールの底部に球弧状の溝が設けられているので、ワイヤーリールはセラミックポット本体の底部を包むことができ、それによって、加熱速度がより速くなり、調理効果がより良好になる。同時に、構造が簡単であり、使用が便利であり、製造コストが低い。
【図面の簡単な説明】
【００１５】
【図１】本考案の一実施形態による電気加熱セラミックポットの構造の概略図である。
【考案を実施するための形態】
【００１６】
以下、図１を参照して本考案をより詳細に説明する。
【００１７】
図１に示すように、電気加熱セラミックポットは、セラミックポット本体とベースとを備える。
【００１８】
セラミックポット本体は、ポットカバー３と、金属材料からなるポットボディ１とを備える。ポットボディ１の底部は、球弧状の構造である。ポットカバー３には、ハンドル４が配置されている。ハンドル４の内部には、上部温度センサ５と、上部温度センサ５によって測定されたデータをコントローラ６に送信することができる無線送信モジュール７とが配置されている。無線送信モジュール７は、上部温度センサ５の温度データをコントローラ６に送信することができる。コントローラ６は、無線送信モジュール７の信号を受信して、上部温度センサ５の信号を読み取ることができる。
【００１９】
ベースの内部には、コントロールパネル８と、コントローラ６と、ベースカバープレート９と、ワイヤーリール１０とが配置されている。ワイヤーリール１０には、球弧状のポットボディ１の底部に嵌合し得る球弧状の溝が開けられている。球弧状の溝１１の底部には、ポットボディ１の底部の温度を検出するための下部温度センサ１２が設けられている。ワイヤーリール１０、下部温度センサ１２およびコントロールパネル８は、それぞれコントローラ６と電気的に接続されている。コントローラ６は、上部温度センサ５及び下部温度センサ１２によって測定されたデータを受信した後、ワイヤーリール１０の出力パワーを調整することによって、セラミックポット本体内の温度を変化させることができる。コントローラ６は、ワイヤーリール１０に電磁波を発生させることにより、ポットボディ１に熱を発生させる。ポットボディ１内の温度が設定値に達すると、コントローラ６は、設定されたプログラムに従ってワイヤーリール１０の出力パワーを低下させることにより、ポットのオーバフローを防止し、エネルギーの無駄を低減することができる。
【００２０】
この実施形態では、セラミックの特性のためにセラミックポットの加工中のサイズを制御することが困難であり、高さ変動は約３ｍｍである。ポットボディ１の縁部を基準にしてポットボディ１を入れた場合、ポットボディ１とワイヤーリール１０との間の距離が不安定になり、その結果、加熱パワーが安定せず、調理効果に影響を及ぼしてしまった。ポットボディ１の底部を基準にしてポットボディ１を入れた場合、ポットボディ１の縁部と従来のポットカバー３との嵌合ずれが生じやすくなって密封が困難となり、調理効果に影響を及ぼしてしまった。したがって、この実施形態では、セラミックポット本体におけるポットボディ１およびポットカバー３は、取り外し可能な開放構造として設計されているとともに、ポットカバー３の内部には、無線送信モジュール７および上部温度センサ５が配置されていることにより、ポットボディ１の縁部と従来のポットカバー３との嵌合ずれが生じやすくなって密封が困難となるという問題を解決する。
【００２１】
また、この実施形態では、ハンドル４は、ポットカバー３に螺接されたハンドルシートをさらに備える。ハンドルシートには、ハンドル４を固定するためのネジ孔が設けられている。ハンドル４は、ハンドルシートを介してポットカバー３に固定されている。このハンドルシートは、ポットボディ１内のハンドル４の内部に伝わる熱を効果的に低減することにより、ハンドル４内で過熱により回路基板が破損するのを防止することができる。また、このハンドルシートは、構造が簡単であり、接続がしっかりしている。
【００２２】
この実施形態では、ハンドルシートとポットカバー３との接続部には、シーリングリング１３が配置されていることにより、ハンドルシートとポットカバー３との接続部で熱が散逸するのを防止する。シーリングリング１３はボルトによって挿入され、次いでナットによって固定される。シーリングリング１３は、ハンドル４に入った蒸気によってハンドル４内の電子部品が損傷して製品の使用寿命が短縮されるのを防止することができる。
【００２３】
この実施形態では、ベースの上方には、ベースに嵌入可能なベースカバープレート９がさらに設けられ、ベースカバープレート９は、その下面に設けられた螺接孔を介してワイヤーリール１０に固定的に接続されている。ベースカバープレート９の上面には、セラミックポット本体を取り囲む弧状の制限バー１４が設けられている。ポットボディ１の底部がワイヤーリール１０の球弧状の溝１１に嵌合すると、弧状の制限バー１４がポットボディ１の側面に密接する。このように、セラミックポット本体をよりスムーズにベース内に配置することができる。
【００２４】
この実施形態では、ベース内の両側には、冷却ファン１５がさらに設けられ、ベースは、冷却ファン１５に対応する位置に空気導入孔および冷却チャネルが設けられている。このように、ベース内の温度が高すぎて部品が損傷するのを防ぐことができる。また、冷却ファン１５によりベースが適時に冷却されるので、製品の使用寿命を延ばすことができる。
【００２５】
この実施形態では、ベースの下方には、均一に分布された、ベースの底部に螺接された支持パッドがいくつか配置されている。この支持パッドは、構造が簡単であり、配置が安定してしっかりし、使い勝手が良い。
【００２６】
この実施形態では、球弧状の溝は、その外側に取り付けられたシリカゲルパッドを介してベースに固定されていることにより、ワイヤーリール１０をベース内部でより滑らかに固定することができ、ワイヤーリール１０の取り付けを容易にすることができる。
【００２７】
この実施形態では、コントローラ６は、ベースの底部に螺接されている。コントローラ６は、無線送信モジュール７を介して上部温度センサ５から送信された信号を受信することができる。また、コントローラ６は、下部温度センサ１２にも接続されているので、コントローラ６は、全体としてセラミックポット本体の温度を監視することができる。コントローラ６は、接続されたコントロールパネル８により、セラミックポット本体を加熱するための磁場を発生させるようにワイヤーリール１０を制御する。このコントローラ６は、構造が簡単であり、接続が安定してしっかりする。
【００２８】
本考案の作動原理は、次のように構成されている。ユーザがコントロールパネル８を介して電熱セラミックポットをオンにした後、コントローラ６は、セラミックポット本体を加熱するための磁場を発生させるようにセラミックポット本体の下端のワイヤーリール１０を制御するとともに、上部温度センサ５および下部温度センサ１２を介してポット本体内の温度を監視し、設定されたプログラムに従って自動的にパワーを調整することにより、より良い調理効果が得られる。また、ワイヤーリール１０は、ポットボディ１の底部を包むことができることにより、加熱速度が速くなり、調理時間が短縮される。
【００２９】
上記は、本考案の幾つの具体的な実施形態についての説明である。当業者は、本発明の実質及び精神から遊離しない範囲において、様々な変形や変更を行なうことができ、これらは本発明の保護範囲に属する。
【符号の説明】
【００３０】
１  ポットボディ
３  ポットカバー
４  ハンドル
５  上部温度センサ
６  コントローラ
７  無線送信モジュール
８  コントロールパネル
９  ベースカバープレート
１０  ワイヤーリール
１１  溝
１２  下部温度センサ
１３  シーリングリング
１４  制限バー
１５  冷却ファン
【図１】
0003215756.tif 000003